(57)【要約】【課題】携帯が可能で手を汚したりすることがなく簡便に口腔の清浄処理を行なうことのできる口腔ケア具が望まれている。【解決手段】口腔ケア具１は、携帯可能な軸状本体２に、軸状本体２の先端と末端を連通する本体内液通路Ｈを形成し、本体内液通路Ｈの先端開口５に口腔清浄部材６の末端７を接続し、飲用可能な口腔清浄液３１を貯留する貯留部１７の液出口１８を本体内液通路Ｈの末端開口１９に接続し、口腔清浄部材６内に、口腔清浄部材６の外面２８と末端７とを連通する部材内液通路２７を形成したものである。口腔清浄部材６は軸状本体２の本体内液通路Ｈの先端開口５に着脱自在に接続されている。【選択図】図２
2007151575.tif 000002
【特許請求の範囲】
【請求項１】
携帯可能な軸状本体に該軸状本体の先端と末端を連通する本体内液通路を形成し、本体内液通路の先端開口に口腔清浄部材の末端を接続し、口腔清浄液を貯留する貯留部の液出口を本体内液通路の末端開口に接続し、口腔清浄部材内に該口腔清浄部材の外面と末端とを連通する部材内液通路を形成してなる口腔ケア具。
【請求項２】
軸状本体の本体内液通路の先端開口に口腔清浄部材を着脱自在に接続した請求項１に記載の口腔ケア具。
【請求項３】
本体内液通路内で液通路軸心方向に摺動する筒状摺動部材を備えるポンプ機構を本体内液通路に配備し、ポンプ機構の筒状摺動部材に貯留部の液出口を接続し、貯留部の液通路軸心方向の移動により貯留部の口腔清浄液を本体内液通路の先端開口に送るようにした請求項１または請求項２に記載の口腔ケア具。
【請求項４】
飲用可能な口腔清浄液を貯留部に貯留した請求項１から請求項３のいずれか一項に記載の口腔ケア具。
【発明の詳細な説明】
【技術分野】
【０００１】
本発明は、歯ブラシや爪楊枝などを有する口腔清浄部材と口腔清浄液とを併用する口腔ケア具に関するものである。
【背景技術】
【０００２】
近年、健康志向や清潔志向が強くなり、起床後や就寝前の歯磨きはもとより、昼食後、間食後、平常時に歯磨きをする人が増えている。その際には、歯ブラシと歯磨き剤の両方を携帯しなければならないが、日常生活での昼食時は自宅外の場合が多く、使用場所も会社内や出張先であることが多いため、携帯性に問題があった。
そこで、口腔清浄剤を含浸させた筒状袋体からなる口腔処理具が下記の特許文献１に開示されている。この口腔処理具は筒状袋体に指を差し込んで口内をこするようになっている。
【０００３】
【特許文献１】特開２０００−７０２９０号公報
【発明の開示】
【発明が解決しようとする課題】
【０００４】
しかしながら、前記特許文献１の口腔処理具では、筒状袋体に含浸されている口腔清浄剤の量が比較的少ないため、短時間しか効能が効かない。また、指が唾液に濡れて汚れやすく、タオルやティッシュペーパーで指を拭かなければならず簡便に使用できるものでなかった。
【０００５】
本発明は、上記した従来の問題点に鑑みてなされたものであって、携帯が可能で手を汚したりすることがなく簡便に口腔の清浄処理を行なうことのできる口腔ケア具の提供を目的とする。
【課題を解決するための手段】
【０００６】
上記目的を達成するために、本発明に係る口腔ケア具は、携帯可能な軸状本体に該軸状本体の先端と末端を連通する本体内液通路を形成し、本体内液通路の先端開口に口腔清浄部材の末端を接続し、口腔清浄液を貯留する貯留部の液出口を本体内液通路の末端開口に接続し、口腔清浄部材内に該口腔清浄部材の外面と末端とを連通する部材内液通路を形成してなるものである。
【０００７】
また、前記構成において、軸状本体の本体内液通路の先端開口に口腔清浄部材を着脱自在に接続したものである。
【０００８】
そして、前記した各構成において、本体内液通路内で液通路軸心方向に摺動する筒状摺動部材を備えるポンプ機構を本体内液通路に配備し、ポンプ機構の筒状摺動部材に貯留部の液出口を接続し、貯留部の液通路軸心方向の移動により貯留部の口腔清浄液を本体内液通路の先端開口に送るようにしたものである。
【０００９】
更に、前記した各構成において、飲用可能な口腔清浄液を貯留部に貯留したものである。
【発明の効果】
【００１０】
本発明に係る口腔ケア具によれば、携帯できる大きさ、形状に形成された軸状本体の先端に口腔清浄部材が接続され、軸状本体の末端に貯留部が接続され、貯留部の口腔清浄液が本体内液通路および部材内液通路を通って口腔清浄部材の外面から出されるようになっているので、口腔清浄液を口で吸いだすなどして口腔清浄部材に供給することができる。従って、手を汚すことなく、いつでも簡便に口腔の清浄処理を行なうことができる。
【００１１】
また、口腔清浄部材が軸状本体の本体内液通路の先端開口に着脱自在に接続されている場合は、口腔清浄部材を新しいものに頻繁に取り替えることが可能であり衛生的に使用することができる。あるいは、歯磨きや歯間掃除などの用途に応じた種々の口腔清浄部材に取り替えることが可能で、異なる洗浄処理を行なうことができる。
【００１２】
そして、ポンプ機構を本体内液通路に配備した場合は、貯留部を液通路軸心方向に移動させることにより、ポンプ機構の作用によって口腔清浄液を本体内液通路の先端開口に送り、口腔清浄部材の外面に供給することができる。
【００１３】
更に、飲用可能な口腔清浄液を用いる場合は、口腔清浄液を口腔から吐き出す必要がない。従って、口腔清浄液を吐き出す手間、吐き出した口腔清浄液を受ける受器およびその受器を洗う手間が不要である。これにより、長時間にわたって口腔清浄部材を口に入れて清浄処理を行なうことができる。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る口腔ケア具の分解図、図２は前記口腔ケア具の縦断面図、図３は図２におけるＡ−Ａ線断面図、図４は図３におけるＢ−Ｂ線断面図である。
各図において、この実施形態に係る口腔ケア具１は、円筒状の下部本体４、および、下部本体４の先端開口に装着固定された円筒状の上部本体３からなる軸状本体２を備えている。下部本体４の末端開口１９近傍の内周面８には円筒状の筒状摺動部材９が装入されている。筒状摺動部材９は末端開口１９内で図２中の矢印Ｃ方向および反矢印Ｃ方向に摺動するようになっている。筒状摺動部材９の内周面には、筒状摺動部材９と一体に移動する円筒状のシリンダ部１０が装着固定されている。上部本体３は下部になるほど小径の３段階の外径で形成されており、最下部は後述する固定ピストン部２２となっており、その先端と末端を連通する液通路２３が形成されている。上部本体３の中段部下面と、筒状摺動部材９およびシリンダ部１０の上面との間は、筒状摺動部材９およびシリンダ部１０の先端を出入りさせて移動可能とする移動用空間２４となっている。
【００１５】
シリンダ部１０の上部にはポンプ室１２が形成され、シリンダ部１０の下部にはポンプ室１２よりも小径の液通路１６が形成されている。これらのポンプ室１２と液通路１６とによりシリンダ部１０の先端と末端が連通している。ポンプ室１２の底部には鋼球弁１４が収容され、ポンプ室１２の上部に上部本体３の固定ピストン部２２が摺動自在に装着され、ポンプ室１２内で鋼球弁１４と固定ピストン部２２の間にコイルバネ１３が介装されている。コイルバネ１３は鋼球弁１４を固定ピストン部２２から離す方向（反矢印Ｃ方向）に常時バネ付勢している。
【００１６】
シリンダ部１０の接続部１１の末端１５には貯留部１７の液出口１８が装着されて接続される。すなわち、貯留部１７の液出口１８はシリンダ部１０の接続部１１および筒状摺動部材９を介して下部本体４の本体内液通路Ｈの末端開口１９に接続される。貯留部１７はシリンダ部１０の接続部１１に着脱自在に接続されるカートリッジ式に構成されている。貯留部１７内には飲用可能な口腔清浄液３１が貯留されている。尚、種類の異なる口腔清浄液を貯留した貯留部１７を複数用意しておけば、好みや用途に応じて貯留部１７を取り替えて使用することができる。
【００１７】
口腔清浄部材６内には、その外面２８と末端７とを連通する部材内液通路２７が形成されている。部材内液通路２７の先端近傍には、液出口３０を有する円筒ノズル２９が装着されている。口腔清浄部材６は合成樹脂で構成されており、その上端に爪楊枝部２６を備えている。
【００１８】
そして、上部本体３の先端開口５近傍の両側面に、上下に長い長穴４０，４０が形成されている（図３および図４参照）。口腔清浄部材６の外面所定位置には、口腔清浄部材６の外周面から上端が突出する係止突起４１，４１が設けられている。係止突起４１，４１は可撓性を有しており、口腔清浄部材６に形成された逃げ穴４２，４２で出没するようになっている。これらの係止突起４１，４１は、口腔清浄部材６の下部が上部本体３上段の先端開口５から本体内液通路Ｈに装入されたとき、逃げ穴４２，４２内に押し込まれた状態で本体内液通路Ｈの内周面に摺接し、上部本体３の長穴４０，４０に入り込んで抜け止め係止される。これにより、上部本体３の本体内液通路Ｈの先端開口５に口腔清浄部材６の末端７が接続固定される。このとき、口腔清浄部材６と上部本体３の間に介在するＯリング３９により、部材内液通路２７と上部本体３下部の本体内液通路Ｈとが水密状に連通する。
【００１９】
上記した上部本体３の本体内液通路Ｈはもとより、固定ピストン部２２の液通路２３、シリンダ部１０のポンプ室１２、および接続部１１の液通路１６も、軸状本体２の先端と末端とを連通する本体内液通路Ｈを構成している。また、筒状摺動部材９、シリンダ部１０、ポンプ室１２、コイルバネ１３，鋼球弁１４、および固定ピストン部２２が、本体内液通路Ｈ内に配備されるポンプ機構３７を構成する。
【００２０】
把手部３２は先端開口２５と末端開口３３を有する円筒軸状に形成されており、内部に貯留部１７を収容するようになっている。把手部３２の先端開口２５の内周面には、上記した下部本体４の外周面に形成された雄ネジ部２１と螺合する雌ネジ部２０が形成されている。把手部３２内の末端部には、末端開口３３から覗く押しボタン３６が配備されている。押しボタン３６は、把手部３２内に設けられた係止突部３４に一端が支持されたコイルバネ３５により、末端開口３３から突出する方向（反矢印Ｃ方向）に常時付勢されている。軸状本体２は下部本体４の上端にキャップ３８が着脱自在に装着されて上部本体３および口腔清浄部材６を密封する。
【００２１】
そして、口腔清浄液３１は飲用可能な成分を水またはエタノール希水溶液に添加して調製される。かかる飲用可能な成分としては、例えば、キシリトールなどの抗菌成分、フラボノイドや緑茶エキスなどの消臭成分、カンゾウエキスやシャクヤクエキスなどの抗炎症剤、カラギーナンやキサンタンガムなどの粘結剤、ポリエチレングリコールやグリセリンなどの粘ちょう剤、メントールやペパーミント油などの香料、ステビアエキスやステビオサイドなどの甘味料、各種着色料などである。これらの成分は飲用者に害を与えない常量が添加される。更に、適量の黒酢やビワエキスを加えると、口の中がさっぱりとなり飲用により血液をさらさらに変える効果がある。特に、ビワエキスはガン抑制効果もあるとされ有用である。
【００２２】
上記した構成の口腔ケア具１は、キャップ３８を装着した状態で全長が万年筆程度となるように形成されている。従って、衣服の胸ポケットやハンドバッグなどに入れて携帯することができる。使用に際しては、軸状本体２からキャップ３８を外したのちに、口腔清浄部材６の爪楊枝部２６を歯間の掃除に用いる。その際に、把手部３２を手で持ち口腔清浄部材６を水平ないし下に向けた状態で押しボタン３６を指で押し込むと、貯留部１７が矢印Ｃ方向（液通路軸心方向）に押されてシリンダ部１０が移動し、鋼球弁１４が固定ピストン部２２に近づいてポンプ室１２の容量が小さくなり、ポンプ室１２内の口腔清浄液３１を上部本体３の本体内液通路Ｈおよび部材内液通路２７を経て液出口３０から口腔清浄部材６の外面２８に送りだす。かかるポンプ機構３７の作用により、利用者の口腔内に適量の口腔清浄液３１を確実に供給でき、爪楊枝部２６および口腔清浄液３１を併用して歯間の清浄処理を行なうことができる。このとき、口腔清浄液３１の送り出し量に相当する量の空気が筒状摺動部材９とシリンダ部１０との境界面から貯留部１７内に吸い込まれる。その後、押していた押しボタン３６を放すと、コイルバネ３５の付勢力により押しボタン３６が反矢印Ｃ方向に戻り、コイルバネ１３の付勢力によりシリンダ部１０が反矢印Ｃ方向に戻ってポンプ室１２の容量を大きくする。このとき、鋼球弁１４が接続部１１の液通路１６を開放して貯留部１７の口腔清浄液３１をポンプ室１２に補給しておく。
【００２３】
上記した口腔ケア具１によれば、軸状本体２の末端に接続された貯留部１７内の口腔清浄液３１が口腔清浄部材６の外面２８に取り出されるので、口腔清浄部材６をくわえたまま口腔清浄液３１を口腔内に供給することができる。従って、手を汚すことなく、いつでも簡便に口腔の清浄処理を行なうことができる。また、口腔清浄液３１が飲用可能であるので、口腔内の口腔清浄液３１を吐き出す必要がない。従って、口腔清浄液３１の吐き出しに係る手間などが不要となるうえ、長時間にわたり清浄処理を行なうことができる。
【００２４】
そして、この口腔ケア具１は、係止突起４１，４１を指などで押し込んで長穴４０，４０との係合を解除し、爪楊枝部２６付きの口腔清浄部材６を取り外すことができる。その口腔清浄部材６の替わりに、同図（ａ）に示した歯間ブラシ部４３付きの口腔清浄部材６、同図（ｂ）に示した歯ブラシ部４４付きの口腔清浄部材６、または同図（ｃ）に示した糸楊枝部４５付きの口腔清浄部材６に取り替えることができる。これらいずれの口腔清浄部材６の内部には、図示を省略するが、その末端と部材途中の外面とを連通する部材内液通路が形成されている。部材内液通路の先端開口は、部材途中の外面でなく、爪楊枝部２６、歯間ブラシ部４３、歯ブラシ部４４、糸楊枝部４５まで部材内液通路を延ばして開口させても構わない。
【００２５】
かかる口腔ケア具１は口内のマッサージや除菌を行なって抗菌力のある唾液の分泌も促進するので、口内の抗菌力が高まることから、口臭が緩和されひいては口内雑菌やカビの繁殖に起因する誤嚥性肺炎の発生を抑止する効果もある。従って、特に老人介護における口腔ケアに最適となる。この口腔ケア具１は、図６に示すように、手帳４６や電卓４７などとセットにして贈答品とするのもよい。
【００２６】
尚、上記の実施形態ではポンプ機構３７を有する口腔ケア具１を例示したが、図７に示すようにポンプ機構を持たない口腔ケア具１Ａも本発明に含まれる。この口腔ケア具１Ａでは、弾性を有する軸状本体２Ａの先端開口５Ａから本体内液通路Ｈへ口腔清浄部材６Ａが挿入されて固定される。口腔清浄部材６Ａの末端７Ａは軸状本体２Ａの下面を貫通した位置にある。口腔清浄部材６Ａの末端７Ａは貯留部１７Ａの液出口１８Ａに差し込まれる。口腔清浄部材６Ａは爪楊枝部を有しており、先端の液出口３０Ａと末端７Ａとを連通する部材内液通路２７Ａが形成されている。口腔清浄部材６Ａの部材内液通路２７Ａ内には、口腔清浄液３１の必要以上の流出を抑制するスポンジなどの液留め材４８が配備されている。把手部３２Ａは有底円筒状に形成されており、内部に貯留部１７Ａを収容するようになっている。把手部３２Ａの先端開口の内周面には、軸状本体２Ａの外周面に形成された雄ネジ部２１と螺合する雌ネジ部２０が形成されている。軸状本体２Ａの上部にキャップ３８Ａが着脱自在に装着されることにより、軸状本体２Ａおよび口腔清浄部材６Ａが密封されるようになっている。この口腔ケア具１Ａでは、口腔清浄部材６Ａの爪楊枝部を口にくわえて液出口３０Ａを口で吸引し貯留部１７Ａの口腔清浄液３１を液出口３０Ａから吸い出して使用される。この口腔ケア具１Ａは構成が極めて簡素であるため、簡単に製造でき安価に提供される。
【００２７】
上記では飲用可能な口腔清浄液を使用したが、本発明では、飲用できない液状歯磨剤、うがい材、または口腔清浄材を貯留部に貯留して使用しても構わない。あるいは、経皮・経粘膜薬液を貯留部に貯留して使用することにより、副作用が少なく安全快適とされる経皮・経粘膜薬物送達システムに、本発明の口腔ケア具を適用することができる。また、上記では口腔清浄部材を軸状本体の先端開口に着脱自在に接続するようにしたが、本発明は口腔清浄部材を軸状本体の先端開口に一体に固定したものも含む。そして、上記では本体内液通路の末端開口に着脱自在に接続されるカートリッジ式の貯留部を用いたが、本体内液通路の末端開口に貯留部を固定接続して使い捨て式とすることも可能である。また、口腔清浄部材としては、上記の爪楊枝部、歯間ブラシ部、歯ブラシ部、糸楊枝部を備えるもの以外に、軸に対しフロスが直交配置されたＴ字状の糸楊枝部、先端が湾曲した爪楊枝部、舌ブラシ部その他を備えるものも含まれる。
【図面の簡単な説明】
【００２８】
【図１】本発明の一実施形態に係る口腔ケア具の分解図である。
【図２】前記口腔ケア具の縦断面図である。
【図３】図２におけるＡ−Ａ線断面図である。
【図４】図３におけるＢ−Ｂ線断面図である。
【図５】（ａ）は歯間ブラシ部を備える口腔清浄部材、（ｂ）は歯ブラシ部を備える口腔清浄部材、（ｃ）は糸楊枝部を備える口腔清浄部材を示す側面図である。
【図６】前記口腔ケア具を含む贈答品の例を示す正面図である。
【図７】本発明の別の実施形態に係る口腔ケア具の縦断面図である。
【符号の説明】
【００２９】
１，１Ａ  口腔ケア具
２，２Ａ  軸状本体
３    上部本体
４    下部本体
５，５Ａ  先端開口
６，６Ａ  口腔清浄部材
７，７Ａ  末端
８    内周面
９    筒状摺動部材
１０  シリンダ部
１１  接続部
１２  ポンプ室
１３  コイルバネ
１４  鋼球弁
１５  末端
１６  液通路
１７，１７Ａ  貯留部
１８，１８Ａ  液出口
１９  末端開口
２２  固定ピストン部
２３  液通路
２６  爪楊枝部
２７，２７Ａ  部材内液通路
２８  外面
３０，３０Ａ  液出口
３１  口腔清浄液
３６  押しボタン
３７  ポンプ機構
４０  長穴
４１  係止突起
４３  歯間ブラシ部
４４  歯ブラシ部
４５  糸楊枝部
Ｃ    矢印
Ｈ    本体内液通路
【図１】
2007151575.tif 000003
【図２】
2007151575.tif 000004
【図３】
2007151575.tif 000005
【図４】
2007151575.tif 000006
【図５】
2007151575.tif 000007
【図６】
2007151575.tif 000008
【図７】
2007151575.tif 000009